(57)【要約】【課題】センタシールに設けたリップ部間を高い信頼性を持って閉鎖できるようにする。【解決手段】断熱箱体からなる貯蔵庫本体１０に設けられた前面開口部１３には、左右一対の断熱扉１５が観音開き式の揺動開閉可能に設けられ、各断熱扉１５の相手側と対向した側縁には、閉扉時において互いに密着可能な密着部４２を有するセンタシール４０が配設されている。各センタシール４０には、閉扉時に同センタシール４０の各密着部４２付近を庫内冷気から遮断するためのリップ部５０が設けられ、各リップ部５０は、各センタシール４０の庫内側の面から庫内側に突出したのち、先端部５２Ａが互いに向き合いながらも庫外側に傾斜した斜め姿勢に屈曲され、かつ先端部５２Ａ同士が重ね合わせ可能な長さ寸法を有する形状に形成されている。【選択図】図４
2015025633.tif 000002
【特許請求の範囲】
【請求項１】
断熱箱体からなる貯蔵庫本体に設けられた前面開口部には、左右一対の断熱扉が観音開き式の揺動開閉可能に設けられ、前記各断熱扉の相手側と対向した側縁には、閉扉時において互いに密着可能な密着部を有するセンタシールが配設されたものにおいて、
前記各センタシールには、閉扉時に同センタシールの前記各密着部付近を庫内冷気から遮断するためのリップ部が設けられ、
前記各リップ部は、前記各センタシールの庫内側の面から庫内側に突出したのち、先端部が互いに向き合いながらも庫外側に傾斜した斜め姿勢に屈曲され、かつ前記先端部同士が重ね合わせ可能な長さ寸法を有する形状に形成されていることを特徴とする冷却貯蔵庫の扉装置。
【請求項２】
前記センタシールは、断面形状が弾性変形可能なシール本体における相手側との対向面に、マグネットが埋設された前記密着部が設けられた形状であって、閉扉時には前記シール本体の断面形状が弾性変形しつつ前記両密着部が磁気吸引力で密着されてシールされるようになっており、
閉扉に伴い前記シール本体が弾性変形して初めて前記両リップ部の先端部同士が重なる構成となっていることを特徴とする請求項１記載の冷却貯蔵庫の扉装置。
【請求項３】
前記リップ部の肉厚について、先端部の方を基端部と比べて薄くしたことを特徴とする請求項１または請求項２記載の冷却貯蔵庫の扉装置。
【発明の詳細な説明】
【技術分野】
【０００１】
本発明は、ワイドスルー形式の冷却貯蔵庫の扉装置に関する。
【背景技術】
【０００２】
この種の冷却貯蔵庫の扉装置の一例として下記特許文献１に記載のものが知られている。このものは、貯蔵庫本体の前面開口部に左右一対の断熱扉が観音開き式の揺動開閉可能に設けられ、各断熱扉の相手側と対向した側面の庫内側の角部付近に、閉扉時において互いに密着可能なマグネット付きのセンタシールが配設された構造である。各センタシールには、閉扉時に両センタシールの密着部分を庫内冷気から遮断するためのリップ部が設けられており、具体的にはリップ部は薄肉のひれ状をなし、相手側に向けて張り出しかつ閉扉時には先端部同士が重なり合うことが可能な寸法を持って形成されており、閉扉時において上記のように、センタシールの密着部分の庫内側を冷気から遮断し、同密着部分の外気と触れる面に結露することを防止するようにしている。
【先行技術文献】
【特許文献】
【０００３】
【特許文献１】特開２０００−１４６４１８号公報
【発明の概要】
【発明が解決しようとする課題】
【０００４】
しかしながら、上記従来のものでは、リップ部が薄肉のひれ状であるために振れる方向に形状誤差ができるおそれがあり、各リップ部の先端部同士が重なり合うことなく隙間ができて、庫内冷気の洩れが生じることも懸念され、その改良が切望されていた。  
本発明は上記のような事情に基づいて完成されたものであって、その目的は、センタシールに設けたリップ部間を高い信頼性を持って閉鎖できるようにするところにある。
【課題を解決するための手段】
【０００５】
本発明は、断熱箱体からなる貯蔵庫本体に設けられた前面開口部には、左右一対の断熱扉が観音開き式の揺動開閉可能に設けられ、前記各断熱扉の相手側と対向した側縁には、閉扉時において互いに密着可能な密着部を有するセンタシールが配設されたものにおいて、前記各センタシールには、閉扉時に同センタシールの前記各密着部付近を庫内冷気から遮断するためのリップ部が設けられ、前記各リップ部は、前記各センタシールの庫内側の面から庫内側に突出したのち、先端部が互いに向き合いながらも庫外側に傾斜した斜め姿勢に屈曲され、かつ前記先端部同士が重ね合わせ可能な長さ寸法を有する形状に形成されているところに特徴を有する。
【０００６】
センタシールに設けられるリップ部は機能上から薄肉に形成されるが、そのために振れる方向に形状誤差ができる可能性がある。しかしながら両リップ部は、先端部が互いに向き合いながらも庫外側に傾斜した斜め姿勢に屈曲され、かつ同先端部同士が重ね合わせ可能な長さ寸法を有する形状に形成されているから、多少の形状誤差があったとしても、両リップ部の先端部同士を密着させることができ、両リップ部間を高い信頼性を持って閉鎖することができる。  
このことは、リップ部に形状誤差があることに起因して不良品として除外するセンタシールの数を大幅に減ずることができ、コスト低減に寄与し得る。
【０００７】
また、この種の扉装置では、例えば片開きした断熱扉の閉じ忘れを防ぐために、ヒンジ部に閉扉方向の付勢手段を設ける等によって、いわゆる自閉機能を備えている。その際、センタシールのリップ部の先端部が、相手のセンタシール等の対向面上を変形しつつ摺接して閉扉に至るのであるが、リップ部が、庫外側に傾斜した斜め姿勢に形成されているから、少ない変形量ですなわち小抵抗で相手のセンタシール等の対向面上を摺接することができ、結果、自閉性を向上させることができる。
【０００８】
また、以下のような構成としてもよい。  
（１）前記センタシールは、断面形状が弾性変形可能なシール本体における相手側との対向面に、マグネットが埋設された前記密着部が設けられた形状であって、閉扉時には前記シール本体の断面形状が弾性変形しつつ前記両密着部が磁気吸引力で密着されてシールされるようになっており、閉扉に伴い前記シール本体が弾性変形して初めて前記両リップ部の先端部同士が重なる構成となっている。  
閉扉時に両センタシールの密着部が密着することに伴い、各リップ部の先端部が相手側に大きく突出する構造であって、一方開扉時には、センタシールの後退に伴い各リップ部の先端部の突出量が小さくなっている。そのため、片開きした断熱扉が自閉されるに当たって、リップ部の先端部と相手のセンタシール等との干渉量が減少され、自閉機能を発揮させる上で好適となる。
【０００９】
（２）前記リップ部の肉厚について、先端部の方を基端部と比べて薄くした。  
自閉機能を発揮させるには、リップ部の先端部は、より薄肉で柔軟性に富んでいることが好ましいが、リップ部全体を薄肉とすると形状誤差が生じやすく、両リップ部間の閉鎖性に関しては好ましくない。それに対して本構成では、リップ部の基端側は厚肉として剛性を高めたから、リップ部の先端部の柔軟性は確保した上で、形状誤差も抑えられる。その結果、両リップ部間の閉鎖性と、断熱扉の自閉性を併せて向上させることができる。
【発明の効果】
【００１０】
本発明によれば、センタシールに設けたリップ部間を高い信頼性を持って閉鎖することができる。
【図面の簡単な説明】
【００１１】
【図１】本発明の実施形態１に係る冷蔵庫の正面図
【図２】断熱扉の裏面側から視た一部切欠斜視図
【図３】センタシールの配設部分の平断面図
【図４】閉扉状態の部分平断面図
【図５】リップ部の配設構造の概略平面図
【図６】その比較例を示す説明図
【図７】片開きしていた断熱扉の閉扉途中の状態を示す平断面図
【図８】リップ部の作動を示す説明図
【図９】本発明の実施形態２に係る閉扉状態の部分平断面図
【図１０】リップ部の配設構造の概略平面図
【図１１】片開きしていた断熱扉の閉扉途中の状態を示す平断面図
【図１２】リップ部の作動を示す説明図
【発明を実施するための形態】
【００１２】
＜実施形態１＞
本発明の実施形態１を図１ないし図８に基づいて説明する。この実施形態では、ワイドスルー形式の横型冷蔵庫を例示している。  
横型冷蔵庫の全体構造を図１によって説明する。冷蔵庫本体１０は、前面が開口された横長の断熱箱体によって形成され、底面に配された脚１１で支持されている。冷蔵庫本体１０の内部は貯蔵室１２とされ、出入口となる前面開口部１３には、左右一対の断熱扉１５が観音開き式の開閉可能に装着されている。一対の断熱扉１５は、それぞれ外側の縦縁の上下両端が、ヒンジ１６を介して縦軸回りの回動可能に支持されており、正面の上縁部における互いに隣接した端部に寄った位置に、開閉操作用の把手１７が設けられている。前面開口部１３には、同前面開口部１３を左右に仕切る縦向きの仕切枠が設けられておらず、センタピラーレスすなわちワイドスルー形式の扉装置が構成されている。
【００１３】
冷蔵庫本体１０の正面視左側面には機械室１８が設けられ、同機械室１８内には、貯蔵室１２から張り出し形成された形態の蒸発器室（図示せず）が収容されて同蒸発器室に蒸発器と庫内ファンとが装備されているとともに、蒸発器と接続されて冷凍サイクルを構成する冷凍装置が収容されている。  
冷凍サイクルが駆動されることで蒸発器付近で冷気が生成され、同冷気が庫内ファンにより貯蔵室１２内に循環供給されることで、貯蔵室１２内が冷却されるようになっている。
【００１４】
扉装置は上記のようにワイドスルー形式であることから、閉扉時のシール構造は基本的には、前面開口部１３の口縁については、各断熱扉１５の裏面における揺動端側の縦縁を除いた他の３縁辺に装着されたパッキン３０（図２参照）が密着されることでシールされ、両断熱扉１５の揺動端側の縦縁の間については、同縦縁に沿って装着されたセンタシール４０同士が密着することでシールされるようになっている。両断熱扉１５が揃って開けられると、前面開口部１３が仕切りが無い状態で全開可能となる。
【００１５】
断熱扉１５の構造、特にパッキン３０とセンタシール４０との配設部分の構造について詳細に説明する。  
断熱扉１５は左右対称形状に形成されており、図２及び図３に示すように、ステンレス鋼板等の金属製の外装板２１と、中央に膨出部２２Ａを設けた合成樹脂製の内装板２２とを組み付けることで外殻体２０が形成され、この外殻体２０内に、発泡樹脂等の断熱材（図示せず）が充填された構造となっている。断熱扉１５の裏面における薄肉となった周縁部には、方形状をなすパッキン装着溝２５が形成されている。
【００１６】
パッキン３０はマグネットパッキンであって、合成樹脂材の押出成形によって形成され、所定長さに切断されて使用される。パッキン３０は、図３に示すように、内部が複数の部屋に仕切られた筒状のパッキン本体３１の背面側に取付脚３３が突設されるとともに、表面側（同図の上側）における幅方向の略中央部に位置する第１マグネット室３２に、扁平な角柱状の第１マグネット３５が挿入されて形成されている。
【００１７】
パッキン３０は、上記した装着溝２５の４縁辺に対応して４本が準備され、各パッキン３０の両端は４５度に切断されている。４本のパッキン３０は、それぞれの取付脚３３を装着溝２５に嵌着しつつ、４縁辺の全周に亘って方形枠状の形態をなして装着されている（図２参照）。各パッキン本体３１における内側の面には複数枚のひれ部３６が張り出し形成され、内装板２２の膨出部２２Ａの側面に弾性的に密着されている。
【００１８】
センタシール４０は、図２及び図３に示すように、各断熱扉１５の揺動端側で相手と対向した側面（以後、対向側面１５Ａ）における庫内側の角部付近において、保持部材６０を介して上下方向に延びた形態で装着されている。センタシール４０は合成樹脂製であって二色の押出成形により形成されており、断熱扉１５の全高よりも少し短い長さに切断されて使用される。
【００１９】
センタシール４０は、庫外側（図３の下側）に開口した概ね門型断面をなすシール本体４１を有している。シール本体４１は軟質樹脂製であって、相手のシール本体４１と対向する側の辺部には、長方形断面をなす第２マグネット室４２が形成され、扁平な角柱状の第２マグネット４３が挿入されている。
シール本体４１における反対側の辺部４４は、隣接して配された縦向きのパッキン３０の側面に密着されている。同辺部４４は庫外側の端部が第２マグネット室４２側に屈曲され、その屈曲端に、第２マグネット室４２と隣接するようにして第１脚部４５が形成されている。第１脚部４５は硬質樹脂製であって、その内部には、断面鈎型をなす挿通溝４５Ａが庫外側に開口した形態で形成されている。
上記した第２マグネット室４２の外面（相手との対向面）における庫外側の端部からは、所定幅を持った脚片４７が庫外側に向けて張り出した形態で形成されている。同脚片４７の庫外側の端部は内側に屈曲され、その屈曲端に、硬質樹脂からなる長方形断面の第２脚部４８が形成されている。
【００２０】
シール本体４１の庫内側（図３の上側）の面における揺動端側の縦向きのパッキン３０に近接した端部位置からは、別のひれ部４９が張り出し形成されている。同ひれ部４９の張り出し端部側は、揺動端側の縦向きのパッキン３０（上下両縁に配された横向きのパッキン３０の端部を含む）における第１マグネット室３２の庫内側の面に重なって密着されるようになっている。
【００２１】
さて、シール本体４１の庫内側の面における同端部位置からは、冷気遮断用のリップ部５０が突出形成されている。リップ部５０は薄板状であり、庫内側に向けて所定寸法（内装板２２の膨出部２２Ａにほぼ至る寸法）突出したのち（突出部５１）、相手側に向けて鋭角（例えば７５°）に屈曲されて傾斜姿勢を採った形状に形成されている（傾斜部５２）。屈曲部５３には、丸みが付されている。そして傾斜部５２は、後記するように両センタシール４０が磁気吸着力で互いに接近して密着した場合に、先端側の所定長さ部分同士が重畳可能な長さ寸法に設定されている。
【００２２】
センタシール４０が装着される保持部材６０は、センタシール４０と同じ長さ寸法を有しており、図３に示すように、対向側面１５Ａにねじ６２で固定されるベース６１と、同ベース６１の表面側に間隔を開けて被着されるスライド蓋６５とから構成されている。スライド蓋６５は、その裏面側の庫内外の２箇所に設けられたスライド溝６６を、ベース６１に設けられた掛止部６３に嵌めて、上方若しくは下方からスライドさせて被着され、全体として庫内外方向に長い扁平な筒形に組み付けられるようになっている。
【００２３】
保持部材６０のベース６１における庫内側の壁面には、上記のセンタシール４０の第１脚部４５が摺動可能に挿通される取付部６７が形成されている。スライド蓋６５の裏面のほぼ中央幅位置には、長方形断面をなす取付筒部６８が張り出し形成されており、取付筒部６８内には、センタシール４０の第２脚部４８が、切割溝６８Ａを通って摺動可能に挿通されている。
また、保持部材６０における庫内側の隅部には、ヒータ保持溝７０が形成され、結露防止用のヒータ７１が挿通されている。なお、ヒータ７１の上下両端部に接続されたリード線が、保持部材６０内で配線され、両リード線は、図４に示すように、ベース６１に開口された導出口６１Ａから断面扉１５内に埋設された配線管路２６を通って、所定の電源供給位置まで配線されるようになっている。
【００２４】
センタシール４０は、保持部材６０に対してスライド装着される。センタシール４０は、第１脚部４５と第２脚部４８とを、それぞれベース６１の取付部６７と、スライド蓋６５の取付筒部６８に嵌めて、例えば上方から取付部６７と取付筒部６８に沿って摺動させることで、図２に示すように、概ね保持部材６０の庫内側の面に沿うようにして全高に亘って装着さる。このとき、シール本体４１が隣接して配されたパッキン３０の側面に密着され、またシール本体４１の隣接した縦向きのパッキン３０側の端部位置から張り出し形成されたひれ部４９が、同パッキン３０並びに上下の横向きのパッキン３０の端部に位置する第１マグネット室３２の庫内側の面に重なって密着される。
それとともに、センタシール４０に設けられた第２マグネット室４２に、第２マグネット４３が例えば上方から挿通される。第２マグネット室４２の上下両端部には、図示しない栓体が嵌められて抜け止めされる。続いて、保持部材６０の上下の開口面に、図２に示すように、キャップ７５が装着される。
以上により、パッキン３０並びにセンタシール４０が装着された形態の断熱扉１５が製造される。
【００２５】
本実施形態の扉装置は以上のような構造であって、左右の断熱扉１５が閉じられると、各断熱扉１５の庫内側の面に装着されたパッキン３０、より詳細には、揺動支点側の縦縁に配された縦向きのパッキン３０と、上下の横縁に配された横向きのパッキン３０とが、貯蔵室１２の前面開口部１３の口縁の全周に亘って密着する。
一方、左右の断熱扉１５の揺動端側の間では、図４に示すように、左右のセンタシール４０の第２マグネット室４２同士が、シール本体４１の辺部４４と、第２脚部４８を先端に設けた脚片４７を弾性変形させつつ磁気吸引力により密着し、また、シール本体４１の庫内側の面におけるリップ部５０の上下に突出した端部（図２参照）が、前面開口部１３の上下の口縁に密着し、両断熱扉１５の対向した側縁の間の隙間が、上下部分も含めて確実にシールされる。
それとともに、両センタシール４０に形成されたリップ部５０が庫内側に突出しつつ、傾斜部５２の先端部５２Ａ同士が重なり合い、両第２マグネット室４２同士が密着した部分における庫内側が、両リップ部５０によって覆われる。
【００２６】
冷蔵庫は通常、上記のような閉扉状態において貯蔵室１２内に冷気が循環供給されて冷却される。一方、このような閉扉状態において、各センタシール４０に設けられた脚片４７は外気に触れる状態にあるから、センタシール４０が庫内冷気で冷却されると、上記の面で結露する可能性がある。
この実施形態では、上記のように、両第２マグネット室４２同士が密着した部分の庫内側が両リップ部５０で覆われて、脚片４７に冷熱が伝わり難くなっていることに加え、ヒータ７１に通電されることで、保持部材６０さらには第２脚部４８を介して脚片４７が加熱されることにより、脚片４７の表面で結露することが防止される。
開扉する場合は、左右の断熱扉１５を揃って開いてもよいし、左右の断熱扉１５を１枚ずつ開くことも可能である。
【００２７】
本実施形態によれば、以下のような効果を得ることができる。
センタシール４０に設けられるリップ部５０は機能上から薄肉に形成されるが、そのために振れる方向に形状誤差ができる可能性がある。そのため、比較例である図６に示すように、仮に両リップ部５０Ｘにおける相手側に向けて屈曲された部分５２Ｘが、先端側が所定寸法に亘って互いに重なり合うも、単に向き合っただけの形状であると、同図に示すように、向き合った部分５２Ｘの先端側が僅かに振れるように変形しているだけであっても、両リップ部５０Ｘ（向き合った部分５２Ｘ）の間に隙間ｓができ、庫内冷気を遮断する機能を果たせなくなるおそれがある。
【００２８】
それに対して本実施形態では、各リップ部５０は、センタシール４０の庫内側の面から庫内側に突出したのち（突出部５１）、先端部５２Ａが互いに向き合いながらも庫外側に傾斜した斜め姿勢に屈曲され（傾斜部５２）、かつ先端部５２Ａ同士が重ね合わせ可能な長さ寸法を有する形状に形成されており、端的には図５の実線に示すように、閉扉状態でも互いに接触することのない仮想状態において、クロスするような形状に形成されている。なお、実際には、図４に示すように、両リップ部５０は変形を伴い庫内外方向に重なって密着する。
【００２９】
この実施形態では、上記のように両リップ部５０の先端部同士が仮想状態でクロスする形状としたことにより、図５の鎖線に示すように、クロスしなくなる直前までの広い範囲（±θ）に亘って振れる方向の形状誤差を認めても、両リップ部５０の傾斜部５２の先端同士を密着させることが可能となる。結果、両断熱扉１５の閉鎖時において、両リップ部５０間を高い信頼性を持ってシールすることができる。
このことは、リップ部５０に形状誤差があることに起因して不良品として除外するセンタシール４０の数自体を、大幅に減ずることができ、コスト低減に繋がる。
【００３０】
なお、リップ部５０は、上記のように軟質樹脂の薄板で形成されているから、重なった場合に主に傾斜部５２の先端部５２Ａが変形するが、重なり部分の応力を吸収しているのは先端部５２Ａのみではない。リップ部５０は全体が略Ｌ字形に形成されているから、応力をリップ部５０全体で吸収しているために、全体としての変形量は僅かであり、耐久性が確保されていると言える。
【００３１】
また、この種の扉装置では、例えば片開きした断熱扉１５の閉じ忘れを防ぐために、ヒンジ１６に閉扉方向の付勢手段を設ける等によって、いわゆる自閉機能を備えている。このときは、図７に示すように、閉じられる側（同図の右側）の断熱扉１５のセンタシール４０におけるリップ部５０の先端部５２Ａが、相手の断熱扉１５における保持部材６０からセンタシール４０に亘る対向面上を、変形により接触を交わしつつ摺接して閉扉に至ることになるが、このリップ部５０の先端部５２Ａの変形具合が、断熱扉１５の自閉性の難易に影響を与える。
【００３２】
図８では、同じ量ｈだけ接触を交わすに当たり、本実施形態のリップ部５０のように、先端側が互いに向き合いながらも庫外側に傾斜した斜め姿勢を採っているものの変形態様と、比較例のリップ部５０Ｘとして、先端側が単に向き合っただけの形状のものの変形態様とを比較している。なお実際は、リップ部５０，５０Ｘはその全域で少しずつ変形するが、ここでは、理解を容易にするために、屈曲部（Ａ部）の角度のみが変わるものとして説明する。
図８から明らかなように、本実施形態のリップ部５０の方が少ない変形（＝変化角度θ２＜θ１）、すなわち小さな抵抗で接触を交わすことが可能であり、結果、自閉性が向上することとなる。
【００３３】
本実施形態のセンタシール４０はマグネット内蔵式であって、同センタシール４０のシール本体４１にリップ部５０が一体的に形成されているのであるから、閉扉時に両センタシール４０のシール本体４１が互いに接近して密着することに伴い、各リップ部５０の先端部５２Ａが相手側に大きく突出する構造であって、逆に開扉時には、シール本体４１の後退に伴い各リップ部５０の先端部５２Ａの突出量が小さくなっている。そのため、片開きした断熱扉１５が自閉されるに当たって、リップ部５０の先端部５２Ａと相手のセンタシール４０等との干渉量が減少され、自閉機能を発揮させる上で好適となる。
【００３４】
＜実施形態２＞
次に、本発明の実施形態２を図９ないし図１２によって説明する。この実施形態２では、センタシール４０に設けられたリップ部８０の形状に変更が加えられている。この実施形態２のリップ部８０は、図１０に示すように、上記実施形態１のリップ部５０と同様に、庫内側に向けて所定寸法突出したのち（突出部８１）、相手側に向けて鋭角（例えば７５°）に屈曲された傾斜部８２が姿勢を採った形状に形成されている。
ただし、肉厚については、図１０に示すように、傾斜部８２の先端側の略１／３の領域（先端部８２Ａ）が、実施形態１のリップ部５０と同じ薄肉で、傾斜部８２の残りの基端側から丸みの付された屈曲部８３が、先端部８２Ａの略２倍の厚さで、さらに突出部８１が先端部８２Ａの略３倍の厚さとなっている。
その他の構造については、実施形態１と同様であって、実施形態１と同一機能を有する部位、部材については、同一符号を付すことで重複した説明は省略し若しくは簡略化する。
【００３５】
本実施形態の扉装置において、左右の断熱扉１５が閉じられると、左右の断熱扉１５の揺動端側の間では、図９に示すように、左右のセンタシール４０の第２マグネット室４２同士が、シール本体４１の辺部４４と、第２脚部４８を先端に設けた脚片４７を弾性変形させつつ、磁気吸引力により密着することによりシールされる。
また、両センタシール４０に突出形成されたリップ部８０における傾斜部８２の先端部８２Ａ並びにその付近が重なり合い、両第２マグネット室４２同士が密着した部分における庫内側が、両リップ部８０によって覆われる。これにより、庫内冷気がセンタシール４０の脚片４７に伝熱することが回避される。
【００３６】
ここで、リップ部８０は、図１０の実線に示すように、閉扉状態でも互いに接触することのない仮想状態において、クロスするような形状に形成されているから、同図の鎖線に示すように、クロスしなくなる直前までの広い範囲に亘って振れる方向の形状誤差を認めても、両リップ部８０の傾斜部８２の先端部８２Ａ同士を密着させることが可能となる。同じく、両断熱扉１５の閉鎖時において、両リップ部８０間を高い信頼性を持ってシールすることができる。また、不良品として除外するセンタシール４０の数自体を大幅に減ずることができて、コスト低減に繋がる。
【００３７】
また、図１１に示すように、片開きした断熱扉１５が自閉機能によって閉鎖される場合は、閉じられる側（同図の右側）のセンタシール４０におけるリップ部８０の先端部８２Ａが、相手の保持部材６０からセンタシール４０に亘る対向面上を、変形により接触を交わしつつ摺接して閉扉に至る。
ここで、図１２に示すように、同じ量ｈだけ接触を交わすに当たり、先端側が互いに向き合いながらも庫外側に傾斜した斜め姿勢を採っている本実施形態のリップ部８０の方が、先端側が単に向き合っただけの形状の比較例としてのリップ部８０Ｘと比べると、少ない変形（＝変化角度θ２＜θ１）、すなわち小さな抵抗で接触を交わすことが可能であり、同様に自閉性が向上する。
【００３８】
この実施形態２のリップ部８０では特に、その肉厚について、傾斜部５２の先端部５２Ａをそれ以外と比べて薄くした形状としており、その意義は以下のとおりである。
上記した断熱扉１５の自閉性を向上させるには、リップ部８０の先端部８２Ａは、より薄肉で柔軟性に富んでいることが好ましいが、リップ部８０全体を薄肉とすると形状誤差が生じやすく、両リップ部８０間の閉鎖性にとっては不都合となる。
それに対して本実施形態では、リップ部８０における傾斜部８２の基端側から突出部８１に亘っては厚肉として剛性を高めたから、傾斜部８２の先端部８２Ａの柔軟性は確保した上で、形状誤差も抑えられる。その結果、両リップ部８０間の閉鎖性と、断熱扉１５の自閉性を併せて向上させることができる。
【００３９】
＜他の実施形態＞
本発明は上記記述及び図面によって説明した実施形態に限定されるものではなく、例えば次のような実施形態も本発明の技術的範囲に含まれる。
（１）実施形態２においては、リップ部の肉厚を、先端側に向けて３段階に亘って順次に薄くしたものを例示したが、無段階に漸減する形状としてもよい。
（２）センタシールの密着部は、上記実施形態に例示したマグネット室に限らず、相手側に向けて互いに重ね合わせ可能に張り出し形成されたリップ等、他の構造のものであってもよい。
（３）センタシールに設けられた第１脚部と第２脚部とは、要は外力が作用した場合に嵌合相手（取付部と取付筒部６８）から外れない程度の剛性を備えていればよいから、肉厚を大きく採る等の対応を伴って軟質樹脂で形成してもよい。
（４）本発明は、上記実施形態に例示した２ドア式の横型冷蔵庫に限らず、例えば４ドア式の縦型冷蔵庫等のドア数の異なる冷蔵庫や、その他に冷凍庫や冷凍冷蔵庫等、要は、ワイドスルー式の扉装置を備えた冷却貯蔵庫全般に広く適用することができる。
【符号の説明】
【００４０】
１０…冷蔵庫本体（貯蔵庫本体）  １３…前面開口部  １５…断熱扉  １５Ａ…対向側面  ４０…センタシール  ４１…シール本体  ４２…第２マグネット室（密着部）  ４３…第２マグネット（マグネット）  ５０…リップ部  ５１…突出部  ５２…傾斜部  ５２Ａ…先端部  ８０…リップ部  ８１…突出部  ８２…傾斜部  ８２Ａ…先端部
【図１】
2015025633.tif 000003
【図２】
2015025633.tif 000004
【図３】
2015025633.tif 000005
【図４】
2015025633.tif 000006
【図５】
2015025633.tif 000007
【図６】
2015025633.tif 000008
【図７】
2015025633.tif 000009
【図８】
2015025633.tif 000010
【図９】
2015025633.tif 000011
【図１０】
2015025633.tif 000012
【図１１】
2015025633.tif 000013
【図１２】
2015025633.tif 000014